(57)【要約】【課題】  保守員がエレベータ点検作業を行なう際に点検作業中であることを知らせるための立て札等を各階床の乗り場に配置する作業が省略できて保守員が費やす労力および時間を低減することができるとともに、エレベータ利用者に対してそのエレベータが点検作業を開始する情報および点検作業中である情報を容易に認識させることのできるようにすること。【解決手段】  エレベータの乗りかごを運行制御する制御回路１と、エレベータの乗り場に設けられ、制御回路１に接続された乗り場位置表示器４と、制御回路１に接続された第１および第２の点検スイッチ２，３を備える。第１の点検スイッチ２は、点検作業を開始する前にＯＮ状態にされ、制御回路１を介して呼び登録を禁止せずに乗り場位置表示器４に点検作業が開始される旨の報知を行なう。第２の点検スイッチ３は、点検作業を行なう際にＯＮ状態にされ、制御回路１を介して呼び登録を禁止してエレベータ利用者の乗り入れを禁止するとともに乗り場位置表示器４に点検作業状態にある旨の文字を表示する。【選択図】  図１
2005067838.tif 000002
【特許請求の範囲】
【請求項１】
エレベータの乗りかごを運行制御する制御回路と、エレベータの乗り場に設けられ、前記制御回路に接続された乗り場位置表示器と、前記制御回路に接続され、点検作業を開始する前にＯＮ状態にされ、前記制御回路を介して呼び登録を禁止せずに前記乗り場位置表示器に点検作業が開始される旨の報知を行なう第１の点検スイッチと、前記制御回路に接続され、点検作業を行なう際にＯＮ状態にされ、前記制御回路を介して呼び登録を禁止してエレベータ利用者の乗り入れを禁止するとともに前記乗り場位置表示器に点検作業状態にある旨の文字を表示する第１の点検スイッチとを備えてなるエレベータの点検作業表示システム。
【請求項２】
前記第１の点検スイッチを遠隔操作可能に構成したことを特徴とする請求項１に記載のエレベータの点検作業表示システム。
【請求項３】
前記制御回路に接続されたかご内操作盤の表示器に、前記第１の点検スイッチがＯＮ状態にされると、前記制御回路を介して点検作業が開始される旨の文字が表示されるように構成したことを特徴とする請求項１または２に記載のエレベータの点検作業表示システム。
【発明の詳細な説明】
【技術分野】
【０００１】
本発明は、エレベータの点検作業表示システムに関する。
【背景技術】
【０００２】
エレベータは、昇降路の頂部に設置された電動機のシーブに吊りロープが巻き掛けられ、この吊りロープの一端部に乗りかごが吊下げられ、また他端部に釣り合い重りが吊下げられてつるべ式に構成され、電動機が制御装置により駆動制御されることにより、乗りかごおよび釣り合い重りが相反する方向に昇降するようになっている。
【０００３】
このようなエレベータに故障が発生した場合、またはエレベータに対して定期的なメンテナンスを実施する場合等において、エレベータ保守サービス会社は、現場に保守員を派遣して保守員に点検作業を行なわせるようにしている。
【０００４】
そして保守員が或るエレベータ号機に対して点検作業を行なおうとする際には、点検作業中はこの号機へのエレベータ利用者の乗り入れが禁止されることから、保守員は点検作業を開始する前に、この号機の各階床における乗り場に「点検作業中」と書かれた立て札や標識、垂れ幕等を配置して、その号機が点検作業中で乗り入れすることができないものであることをエレベータ利用者に周知させるようにしている。
【０００５】
このような立て札等の配置により、エレベータ利用者は、他のエレベータ号機を利用したり、または階段を利用したりするなどして目的階へ行くことができ、点検作業中で開くはずのないエレベータドアの前に立ち止まって無駄な待ち時間を費やしてしまうことを防止することができる。
【０００６】
しかしながら、保守員が上記のような立て札等を各階床の乗り場に配置し、また配置した立て札等を点検作業終了後に回収する作業は、保守員に対して少なからぬ労力および時間の消費を強いるものであり、特に階床数が多い高いビル等においては、保守員が費やす労力および時間は一層大きなものとなってしまう。
【０００７】
そこで、エレベータの運転システムの中に、予め点検作業を実施する際に作動可能で、乗り場に設けられた乗り場呼びボタンと連動する点検スイッチを設けておき、保守員が点検作業を実施する際に点検スイッチを作動させることにより、エレベータ利用者が乗り場操作ボタンを操作すると、点検作業中であることをブザーや音声の出力、乗り場位置表示器での点滅表示等の報知を行なってエレベータ利用者に知らせるようにすることが提案されている。
【特許文献１】特開２００３−８１５５１
【発明の開示】
【発明が解決しようとする課題】
【０００８】
この場合、エレベータ利用者は、乗り場操作ボタンの操作を行なわないと、点検作業中であることがわからない。しかもエレベータ号機が複数台ある場合や周囲が騒がしい場合には、乗り場操作ボタンを操作した後ブザーや音声による報知があっても、どの号機が点検作業中であるかが判別しづらいおそれがある。また乗り場呼びボタンや乗り場位置表示器を点滅させる等の通常とは異なる表示による報知があっても、これが点検作業中であると認識しづらいといった問題がある。
【０００９】
そこで本発明は、上記の問題を解決するためになされたもので、保守員がエレベータの点検作業を行なう際に点検作業中であることを知らせるための立て札等を各階床の乗り場に配置する作業が省略できて保守員が費やす労力および時間を低減することができるとともに、エレベータ利用者に対してそのエレベータ号機が点検作業を開始する情報および点検作業中である情報を表示して容易に認識させることのできるエレベータの点検作業表示システムを提供することを目的とする。
【課題を解決するための手段】
【００１０】
上記の課題を解決するため、本発明によるエレベータの点検作業表示システムは、エレベータの乗りかごを運行制御する制御回路と、エレベータの乗り場に設けられ、制御回路に接続された乗り場位置表示器と、制御回路に接続され、点検作業を開始する前にＯＮ状態にされ、制御回路を介して呼び登録を禁止せずに乗り場位置表示器に点検作業が開始される旨の報知を行なう第１の点検スイッチと、制御回路に接続され、点検作業を行なう際にＯＮ状態にされ、制御回路を介して呼び登録を禁止してエレベータ利用者の乗り入れを禁止するとともに乗り場位置表示器に点検作業状態にある旨の文字を表示する第２の点検スイッチとを備えてなることを特徴とする。
【発明の効果】
【００１１】
本発明によれば、点検作業を開始する前に第１の点検スイッチをＯＮ状態にすることにより、乗り場位置表示器により点検作業が開始される旨の報知が行なわれるので、エレベータ利用者はこのエレベータが点検作業に入る予定であることを知ることができる。また点検作業が行なわれる際には、第２の点検スイッチをＯＮ状態にすることにより、乗り場位置表示器に点検作業状態にある旨の文字が表示されることにより、保守員については立て札等の配置に労力や時間を費やすことがなくなり、またエレベータ利用者については操作盤の乗り場呼び操作を行なおうとする以前に点検作業中であることを文字により目視でき、容易にかつ確実に認識することができる。
【発明を実施するための最良の形態】
【００１２】
図１は本発明の第１実施の形態にかかるエレベータの点検作業表示システムを示す全体構成図である。図１において、１はエレベータの乗りかごを運行制御する制御回路で、制御盤に収納されている。この制御盤は、一般的には昇降路頂部に設けられる機械室に設置されるが、機械室レスエレベータの場合には、昇降路内または特定階の乗り場ドアの戸袋に設置される場合もある。この制御盤内には、シーソー式トグルスイッチからなる点検予告スイッチ（第１の点検スイッチ）２および点検スイッチ（第２の点検スイッチ）３がそれぞれ制御回路１に接続して設けられており、点検作業を行なう際にＯＮ状態（ＩＮＳ側）に切換えられることにより、後述する乗り場位置表示器４の表示を切換えるようになっている。
【００１３】
各階床のエレベータ乗り場には、エレベータの乗りかごにそれぞれ乗るために乗り場ドアが設けられ、この乗り場ドアの側方の壁に乗り場呼びボタンを有する乗り場操作盤５が設けられている。この乗り場操作盤５は、中間の階床の場合、上の階床へ移動するために乗りかごを呼ぶ上昇呼びボタン５ａと下の階床へ移動するための乗りかごを呼ぶ下降呼びボタン５ｂが設けられている。また乗り場操作盤５の上方にはエレベータの乗りかごの現在位置を表示する乗り場位置表示器４が設けられている。
【００１４】
これら乗り場操作盤５および乗り場位置表示器４は、昇降路内に配設された配線を介してエレベータの乗りかごを運行制御する制御回路１に接続されている。
【００１５】
乗り場位置表示器４は、本実施の形態では、図示右側部分に乗りかごの現在位置を階床数字で表示する数字表示用７セグＬＥＤ４ａが設けられ、図示左側部分に乗りかごの昇降方向を表示する矢印が施された表示板４ｂが設けられ、これら数字表示用７セグＬＥＤ４ａおよび表示板４ｂの下部に「点検中」の表示が施された表示板４ｃが設けられている。  
また表示板４ｂの背後には各矢印に対応して図示しない点灯表示用ＬＥＤが設けられ、表示板４ｃの背後にも図示しない点灯表示用ＬＥＤが設けられ、それぞれＬＥＤが点灯された際に矢印または「点検中」の文字が浮き上がって表示されるようになっている。
【００１６】
この乗り場位置表示器４における表示は、エレベータが通常の運転状態にあるときには、数字表示用ＬＥＤ５ａが乗りかごの現在位置を階床数字で表示しており、またいずれか一方の矢印表示用の点灯用ＬＥＤが点灯することによって、いずれか一方の矢印が浮かび上がって昇降方向を表示している。他方、表示板４ｃは点灯用ＬＥＤが点灯しておらず「点検中」の表示が行なわれてない。
【００１７】
ここで、或るエレベータ号機に故障が発生した場合、または或るエレベータに対して定期的なメンテナンスを実施する場合等が発生した際には、エレベータ保守サービス会社の保守員が当該エレベータに対して点検作業を行なうことになる。この点検作業は次のように行なわれる。
【００１８】
保守員は、エレベータの制御盤が設置されている機械室において、エレベータが通常の運転状態にあるときにはＯＦＦ状態（ＮＯＲ側）にある点検予告スイッチ２および点検予告スイッチ３のうち、まず点検作業を開始する前に点検予告スイッチ２をＯＮ状態（ＩＮＳ側）に切換える。これにより制御回路１を介して乗り場位置表示器４に対して表示切り換えの情報データが送信され、乗り場位置表示器４における７セグＬＥＤ４ａおよび表示板４ｂが点滅し、また表示板４ｃには「点検中」の文字が点滅表示される。この場合に乗り場操作盤５にも情報データを送信して、乗り場操作盤５に設けられているスピーカー５ｃから、例えば「○○時から点検に入ります」との音声を出力することによって、このエレベータが点検作業に入ることをエレベータ利用者に知らせる。このときエレベータは呼び登録が禁止されておらず、停止しないので、エレベータ利用者は目的階に移動することができる。
【００１９】
次にエレベータの利用がなくなり、保守員が点検作業を開始する際には、点検予告スイッチ２をＯＦＦ状態にし、点検スイッチ３をＯＮ状態（ＩＮＳ側）に切換える。これにより制御回路１を介して乗り場位置表示器４に対して表示切り換えの情報データが送信され、乗り場位置表示器４における７セグＬＥＤ４ａおよび表示板４ｂが消灯し、これに対して表示板４ｃが点灯状態になって「点検中」の文字が表示される。この場合に乗り場操作盤５にも情報データを送信して、乗り場操作盤５に設けられているスピーカー５ｃから、例えば「点検作業中です」との音声を、時間をおいて繰り返し出力することによって、このエレベータが点検作業中であることを、乗り場でエレベータを利用しようとする利用者に知らせることができる。このときエレベータは、呼び登録が禁止されて乗り入れできない状態になる。
【００２０】
点検作業終了後は、点検予告スイッチ２および点検スイッチ３をＯＦＦ状態に切換えることにより、エレベータは通常の運転状態に戻る。
【００２１】
このようにすれば、保守員が点検作業を開始する前に、乗り場位置表示器４および乗り場操作盤５によりエレベータが点検作業状態に入る旨を文字表示および音声による報知がなされるので、エレベータ利用者に対して、点検作業に入るエレベータであることを知らせることができ、エレベータ利用者はエレベータの停止予定情報として知ることによってエレベータの利用に役立てることができる。
【００２２】
また保守員が点検作業を開始する際には、乗り場位置表示器４および乗り場操作盤５によりエレベータが点検作業状態にある旨の文字表示および音声による報知がなされるので、これにより保守員については、立て札等の配置に労力や時間を費やすことがなく点検作業を開始することができ、またエレベータ利用者については、乗り場操作盤５の乗り場呼び操作を行なおうとする前に、乗り場位置表示器４の表示から点検作業中であることを目視でき、また音声による報知もあって容易にかつ確実に点検作業中であることを認識することができる。したがってエレベータ利用者は、他のエレベータを利用したり、または階段を利用したりするなどして目的階へ行くことができ、点検作業中で開くはずのないエレベータドアの前に立ち止まって無駄な待ち時間を費やしてしまうことを防止できる。
【００２３】
次に本発明の第２実施の形態について説明する。図２は本発明の第２実施の形態にかかるエレベータの点検作業表示システムを示す全体構成図である。図２において、本実施の形態が第１実施の形態と異なる点は、遠隔操作装置６を設けて点検予告スイッチ２を遠隔で操作できるように構成したところにある。その他の構成は第１実施の形態と同様である。遠隔操作装置６は有線による場合には、例えばエレベータの基準階に設置しておくことにより、保守員が機械室に出向くことなく点検作業を開始する情報をエレベータ利用者に知らせることができる。遠隔操作装置６が無線による場合には、送受信可能な距離から点検作業を開始する情報をエレベータ利用者に知らせることができる。
【００２４】
次に本発明の第３実施の形態について説明する。図３は本発明の第３実施の形態にかかるエレベータの点検作業表示システムを示す全体構成図である。図３において、本実施の形態が第１実施の形態と異なる点は、かご内操作盤７に設けた液晶パネルからなる表示器７ａに点検情報を表示するように構成したところにある。その他の構成は第１実施の形態と同様である。表示器７ａはエレベータが通常運転の状態にある場合は、乗りかごの位置表示と昇降方向の表示を行なっているが、点検予告スイッチ２がＯＮ状態にされると、表示器７ａに「○○時から点検作業に入ります」との文字表示がなされ、またスピーカー７ｂから「○○時から点検作業に入ります」との音声による報知がなされるようになっている。これにより乗りかご内にいる利用客もエレベータが点検作業に入ることを知ることができ、エレベータの利用に役立てることができる。
【００２５】
なお、点検予告スイッチ２がＯＮ状態にあるときにエレベータに故障が発生した場合には、表示器７ａの表示を「故障発生」に切換えて故障報知を優先して表示することが望ましい。
【図面の簡単な説明】
【００２６】
【図１】本発明の第１実施の形態にかかるエレベータの点検作業表示システムを示す全体構成図である。
【図２】本発明の第２実施の形態にかかるエレベータの点検作業表示システムを示す全体構成図である。
【図３】本発明の第３実施の形態にかかるエレベータの点検作業表示システムを示す全体構成図である。
【符号の説明】
【００２７】
１…制御回路
２…点検予告スイッチ（第１の点検スイッチ）
３…点検スイッチ（第２の点検スイッチ）
４…乗り場位置表示器
４ａ…７セグＬＥＤ
４ｂ，４ｃ…表示板
５…乗り場操作盤
５ａ…上昇呼びボタン
５ｂ…下降呼びボタン
５ｃ，７ｂ…スピーカー
６…遠隔操作装置
７…かご内操作盤
７ａ…表示器
【図１】
2005067838.tif 000003
【図２】
2005067838.tif 000004
【図３】
2005067838.tif 000005